(57)【特許請求の範囲】
【請求項１】
発呼者番号を検出する発呼者番号検出回路と、登録番号を記憶する記憶手段と、着信の報知を行う着信報知手段と、着信応答の操作を行う操作手段と、着信時に前記発呼者番号検出回路より検出された発呼者番号と前記記憶手段に記憶される登録番号を比較して一致すれば前記着信報知手段の着信報知を禁止させ、この着信中に前記操作手段により着信応答の操作が行われたことを検出すると、この着信に応答せずに着信を拒否する電話番号の着信中である旨の報知を行い、所定の操作が行われたか又は相手先がオンフックすると、前記着信を拒否する電話番号の着信中である旨の報知を終了する制御手段を備えたことを特徴とする電話装置。
【発明の詳細な説明】
【０００１】
【発明の属する技術分野】
発呼者番号を受信する電話装置に関する。
【０００２】
【従来の技術】
現在、発呼者の電話装置（情報受信端末）の電話番号（発呼者番号）を電話局（加入者線交換機）が被呼者の電話装置に知らせる発信電話番号表示サービス（通信前情報通知サービス）が平成９年１１月１日より実施された。
【０００３】
【発明が解決しようとする課題】
そこで、この発呼者番号を有効に利用する方法を考えるよう要望があった。この方法に一つとして、テンキーにより電話番号を登録し、着信時に受信した発呼者番号を登録番号と比較して一致したら、登録番号に対応する名前を表示させたり、着信の報知方法を変えたり、着信を拒否したり、着信報知を親機あるいは所定の子機に限定させたりすることが考えられる。そして、これらの機能をより便利なものにするよう要望があった。
【０００４】
例えば、着信拒否をする方法として、着信音を禁止するのみで発呼者番号の表示等により音以外の方法で着信を報知している場合は、着信拒否に気付かない人により受信してしまう場合がある。
【０００５】
【課題を解決するための手段】
本発明は、発呼者番号を検出する発呼者番号検出回路と、登録番号を記憶する記憶手段と、着信の報知を行う着信報知手段と、着信応答の操作を行う操作手段と、着信時に前記発呼者番号検出回路より検出された発呼者番号と前記記憶手段に記憶される登録番号を比較して一致すれば前記着信報知手段の着信報知を禁止させ、この着信中に前記操作手段により着信応答の操作が行われたことを検出すると、この着信に応答せずに着信を拒否する電話番号の着信中である旨の報知を行い、所定の操作が行われたか又は相手先がオンフックすると、前記着信を拒否する電話番号の着信中である旨の報知を終了する制御手段を備える。
【０００６】
【発明の実施の形態】
本発明の実施例を図面に基づき説明する。実施例の電話装置は親機（１）と子機（２）とからなる。図１は親機（１）の要部の構成を示すブロック図であり、図２は子機（２）の要部の構成を示すブロック図である。
【０００７】
まず親機（１）の要部の構成について説明する。図１に於いて、（１１）は着信検出回路であり、電話回線（Ｌ）に接続され着信を検出する。また、着信検出回路は電話回線の極性反転を検出する機能も備えており、これにより通話中の相手の電話装置のオンフックを検出することができる。（１２）は発呼者番号検出回路であり、電話局より電話回線を介して発呼者の電話番号（発呼者番号）を検出する。検出する電話番号は市外局番と市内局番と加入者番号からなり、必ず市外局番を含んでいる。また、ＰＨＳや携帯電話の電話番号も受信することができ、これらはサービス識別番号と事業者識別番号と加入者番号とからなる。そして、発呼者番号はハイフォン（「−」）は含んでいない。（１３）はネットワーク回路であり、電話回線に接続され回線の解放・閉結を行う。（１４）はダイヤル発信回路であり、後述の制御回路（２３）が指定するダイヤル番号を発信する。
【０００８】
（１５）はハンドセットであり、スピーカ（１６）とマイクロホン（１７）を有している。（１８）は受信回路であり、アンテナ（１９）を介して子機（２）からの電波を受信する。（２０）は送信回路であり、ネットワーク回路（１４）の出力信号をアンテナ（１９）を介して子機（２）へ発信する。（２１）はＰＬＬ回路であり、受信回路（１８）と送信回路（２０）の送受信周波数を変える。
【０００９】
（２２）は切替回路であり、ネットワーク回路（１４）への接続をハンドセット（１５）側か受信回路（１８）／送信回路（２０）側かに切り替える。
【００１０】
（２３）はマイクロプロセッサからなる制御回路であり、動作のプログラムを記憶したＲＯＭ（２４）に基づき各部を制御する。（２５）はＲＡＭであり、制御回路（２３）の動作に必要な情報、例えば、図３に示す如く、電話番号とこれに対応した名前からなる電話帳、着信報知拒否の電話番号、特殊な呼び出しを行う電話番号、親機のみか子機のみかの着信報知を指定する電話番号、受信した発呼者番号（着信の履歴）や着信の日時を記憶する。尚、図３の着信報知拒否の電話番号の「１８４」は、発呼者が発呼者番号の表示を拒否した場合に対応する記号である。この場合は発呼者番号を受信することができないために「１８４」を特殊記号として設定する。
【００１１】
（２６）はベルであり、着信時に呼出音を出力する。（２７）は緑色と赤色のバックライトを切り替え可能な液晶の表示手段であり、電話番号や名前などを表示する。（２８）は入力手段であり、電話番号入力を行うテンキー（２８１）とハイフォンキー（２８２），消去キー（２８３）を有する。（２９）はスイッチであり、ハンドセット（１５）が親機（１）に載置されている状態ではＯＮとなり、親機（１）から持ち上げられるとＯＦＦとなる。このＯＮ／ＯＦＦ信号は制御回路（２３）に入力される。
【００１２】
次に子機（２）の要部の構成を説明する。図２に於いて、（３１）は受信回路であり、アンテナ（３２）を介して親機（１）からの電波を受信する。（３３）は送信回路であり、入力信号をアンテナ（３２）を介して親機（１）へ発信する。（３４）はＰＬＬ回路であり、受信回路（３１）と送信回路（３３）の送受信周波数を変える。
【００１３】
（３５）はスピーカであり、増幅回路（３６）で増幅された受信回路（３１）の電気信号を音声に変換する。（３７）はマイクロホンであり、音声を電気信号に変換する。（３８）は増幅回路であり、マイクロホン（３７）の出力を増幅して送信回路（３３）に出力する。
【００１４】
３９）はマイクロプロセッサからなる制御回路であり、動作のプログラムを記憶したＲＯＭ（４０）に基づき各部を制御する。（４１）はＲＡＭであり、制御回路（３９）の動作に必要な情報を記憶する。（４２）はベルであり、着信時に呼出音を出力する。（４３）は入力手段であり、電話番号入力などの操作を行う。（４４）は緑色と赤色のバックライトを切り替え可能な液晶の表示手段であり、電話番号や名前などを表示する。
【００１５】
次に親機（１）の主要な動作を説明する。図４は親機（１）の制御回路（２３）の動作を示すフローチャートである。制御回路（２３）が発呼者番号検出回路（１２）より発呼者番号を検出すると（Ｓ１のＹ）、発呼者番号と着信の日時をＲＡＭ（２５）に記憶させた後、ＲＡＭ（２５）に記憶している電話帳の全ての電話番号と比較する（Ｓ２）。その比較方法は図５のフローチャートに示す如く、電話帳の電話番号のハイフォンを除いた数字を下の桁より順次比較し、電話帳の電話番号の数字が全て一致すれば発呼者番号と電話帳の電話番号が一致するものと判定する。即ち、電話帳の電話番号の桁数が発呼者番号より小さくても電話帳の電話番号が全て一致すれば発呼者番号と電話帳の電話番号が同じであるとみなす。
【００１６】
これにより、図６のＡの如く、市外局番を省略して入力されても、発呼者番号と比較することができる。尚、着信の電話番号表示（後述のステップＳ７）は図６のＢの如く、市外局番を含んだ発呼者番号で表示されるために、一致と判断した市外局番を使用者が確認することができる。
【００１７】
ステップＳ２で発呼者番号と一致する電話帳の電話番号があると、その電話帳の電話番号にハイフォンがある場合に（Ｓ３のＹ）、制御回路（２３）は発呼者番号の一致部分をハイフォン付きの電話帳の電話番号と置き換えることによりハイフォンを追加する（Ｓ４）（図６参照）。また、一致した電話帳の電話番号に対応する名前を付加させる（Ｓ５）。
【００１８】
これにより、発呼者番号を後述のステップＳ７で表示するときは読みやすい電話番号となる。
【００１９】
次に、発呼者番号をＲＡＭ（２５）の着信報知拒否の全ての電話番号と比較する（Ｓ６）。発呼者番号と一致する着信報知拒否の電話番号がなかった場合は着信の報知を行ってよいものとして、ＲＡＭ（２５）に着信の履歴として発呼者番号を記憶させると共に表示手段（２７）に発呼者番号や氏名や着信の日時を表示させる（Ｓ７）。
【００２０】
次に、発呼者番号をＲＡＭ（２５）の特殊呼出の全ての電話番号と比較する（Ｓ８）。発呼者番号と一致する電話番号がなければ、呼び出し音量を使用者の設定値どおりにすると共に表示手段のバックライトの色を通常の緑色にする（Ｓ９）。発呼者番号と一致する電話番号があれば、親機（１）子機（２）の呼び出し音量を使用者の設定値より大きくすると共に表示手段のバックライトの色を目立つ赤色にする（Ｓ１０）。
【００２１】
次に、発呼者番号をＲＡＭ（２５）の着信報知機の全ての電話番号と比較する（Ｓ１１）。発呼者番号と一致する電話番号がなければ、親機（１）子機（２）共に着信の報知を行う（Ｓ１２）。発呼者番号と一致する電話番号があれば、一致した電話番号に対応する親機（１）あるいは子機（２）のみ着信の報知を行わせる（Ｓ１３）。
【００２２】
尚、特殊呼出と着信報知機の電話番号のデータは独立して記憶しているために、図３の電話番号03-3333-0001の如く、一つの電話番号に対して特殊呼出と着信報知機の両方を設定することができる。
【００２３】
ステップＳ６で発呼者番号と一致する着信報知拒否の電話番号があった場合はステップＳ７〜Ｓ１３の処理を行わずステップＳ１４に進む。即ち、指定した発呼者番号に対しては全く着信の報知を行わない状態となり、見た目には待機状態と同じである。従って、拒否すべき着信に気を取られることはなく、また、間違って通話をすることはない。尚、この着信を拒否する電話番号の着信中は電話回線に係わらない操作、例えば、電話帳や発信報知拒否等の登録や、留守録音の再生の操作は可能である。
【００２４】
ステップＳ６のＹ後、あるいはステップＳ１２あるいはＳ１３後、ハンドセット（１５）が載置状態から持ち上げられたか否か、即ちスイッチ（２９）がＯＮからＯＦＦに変化したか否か（Ｓ１４）、あるいは発呼者である相手の電話装置がオンフックされたか否か（Ｓ１５）を調べる。発呼者の電話器がオンフックされれば、着信の処理を終了させる（Ｓ１６）。
【００２５】
スイッチ（２９）がＯＮからＯＦＦに変化すれば、発呼者番号をＲＡＭ（２５）の着信報知拒否の全ての電話番号と比較する（Ｓ１７）。発呼者番号と一致する着信報知拒否の電話番号がなかった場合は通話を行ってよいものとして、通話の処理を行う（Ｓ１８）。発呼者番号と一致する着信報知拒否の電話番号があった場合は、現在、着信を拒否する電話番号の着信中である旨の報知、例えば、「おことわり電話の着信中」を表示させる（Ｓ１９）。このとき、発呼者番号も表示させる。
【００２６】
そして、消去キー（２８３）が押されたか否か（Ｓ２０）、あるいは発呼者である相手の電話装置がオンフックされたか否か（Ｓ２１）を調べる。発呼者の電話器がオンフックされれば、ステップＳ１９で表示した着信報知の拒否中であることの表示を消去させ（Ｓ２２）、着信の処理を終了させる（Ｓ２３）。
【００２７】
ステップＳ２０で消去キー（２８３）が押されれば、ＲＡＭ（２５）に記憶される着信報知拒否の電話番号より、発呼者番号と一致する電話番号を消去する（Ｓ２４）。そして、ステップＳ７に戻り、ＲＡＭ（２５）に着信の履歴として発呼者番号を記憶させると共に表示手段（２７）に発呼者番号や氏名や着信の日時を表示させる（Ｓ７）。そして、ステップＳ９で呼出音が鳴り、再びハンドセット（１５）を持ち上げることにより、ステップＳ１６で通話を行うことが可能となる。
【００２８】
このように、着信を拒否する電話番号の着信中にハンドセット（１５）が持ち上げられると、着信中である旨と発呼者番号を表示し、使用者が発呼者番号を見て、通話を要望するときは消去キー（２８３）を操作すれば通話を行うことができる。
【００２９】
【発明の効果】
着信で受信した発呼者番号が迷惑電話登録の電話番号と一致して着信音を禁止しているとき、この着信拒否に気づかない人が間違って着信応答の操作をしても、着信に応答しないよう、着信拒否を徹底することができる。又、現在着信拒否の相手先からの着信であることを報知することにより、ユーザが着信応答の操作を行った際に回線が接続できない理由をユーザに知らせることが可能であり、ユーザが電話機が故障したと勘違いすることを回避することが可能である。
【図面の簡単な説明】
【図１】本発明の実施例の親機の要部の構成を示すブロック図である。
【図２】実施例の子機の要部の構成を示すブロック図である。
【図３】ＲＡＭの記憶内容を示す図である。
【図４】親機の制御回路の動作を示すフローチャートである。
【図５】発呼者番号の一致方法を示すフローチャートである。
【図６】電話帳と一致したときの発呼者番号の表示を示す図である。
【符号の説明】
１    親機
２    子機
１２    親機の発呼者番号検出回路
１３    親機のダイヤル発信回路
１５    親機のハンドセット
２３    親機の制御回路
２５    親機のＲＡＭ
２６    親機のベル
７    親機の表示手段
２８    親機の入力手段
２８２  親機の−キー
２８３  親機の消去キー
３９    子機の制御回路
４２    子機のベル
４３    子機の入力手段
４４    子機の表示手段
【図１】
0003813504.tif 000002
【図２】
0003813504.tif 000003
【図３】
0003813504.tif 000004
【図４】
0003813504.tif 000005
【図５】
0003813504.tif 000006
【図６】
0003813504.tif 000007